(57)【要約】  １以上の芳香を発生することができる１以上の芳香組成物から成る着用可能な吸収性物品を含む、吸収性製品の組み合わせ。また、前記吸収性物品に接合された封入パウチであって、中に配置された拭き取り物品を有し、１以上の芳香を発生する１以上の芳香組成物から成る、封入パウチも提供される。
2009518158.tif 000002
【特許請求の範囲】
【請求項１】
ａ）１以上の芳香を発生することのできる１以上の芳香組成物を含む着用可能な吸収性物品；及び
ｂ）前記吸収性物品に接合された封入パウチであって、その中に配置された拭取り物品を持つ封入パウチ
を含み、前記拭取り物品が、１以上の芳香を発生する１以上の芳香組成物を含むことを特徴とする、吸収性製品の組み合わせ。
【請求項２】
前記拭取り物品の前記１以上の芳香組成物によって発生した前記１以上の芳香の少なくとも１つが、前記吸収性物品の前記１以上の芳香組成物によって発生した前記１以上の芳香の少なくとも１つに関連している、請求項１に記載の吸収性製品の組み合わせ。
【請求項３】
前記拭取り物品の前記１以上の芳香組成物によって発生した前記１以上の芳香の少なくとも１つが、前記吸収性物品の前記１以上の芳香組成物によって発生した前記１以上の芳香の少なくとも１つと相乗的である、請求項１又は２に記載の吸収性製品の組み合わせ。
【請求項４】
前記吸収性物品の前記１以上の芳香組成物及び前記拭取り物品の前記１以上の芳香組成物が同じ芳香を発生する、請求項１〜３のいずれか一項に記載の吸収性製品の組み合わせ。
【請求項５】
ａ）１以上の芳香を発生することのできる１以上の芳香組成物を含む着用可能な吸収性物品；
ｂ）前記吸収性物品を少なくとも部分的に取り囲む剥離可能な包装材；及び
ｃ）前記剥離可能な包装材に接合された封入パウチであって、その中に配置された拭取り物品を持つ封入パウチ
を含み、前記拭取り物品が、１以上の芳香を発生する１以上の芳香組成物を含むことを特徴とする、吸収性製品の組み合わせ。
【請求項６】
前記拭取り物品の、前記１以上の芳香組成物によって発生した前記１以上の芳香の少なくとも１つが、前記吸収性物品の、前記１以上の芳香組成物によって発生した前記１以上の芳香の少なくとも１つに対して相補的である、請求項６に記載の生理用ナプキン。
【請求項７】
前記吸収性物品の前記芳香組成物及び前記拭取り物品の前記芳香組成物が同じ芳香を発生する、請求項５又は６に記載の生理用ナプキン。
【請求項８】
吸収性物品及び拭取り物品を収容及び分配するためのパッケージであって、内部収容スペースを画定する１以上の壁、及び前記内部収容スペースにアクセスするための手段を有し、
ａ）前記内部収容スペース内に配置された１以上の第１物品であって、前記１以上の第１物品の少なくとも１つが吸収性物品を含む、１以上の第１物品；
ｂ）前記内部収容スペース内に配置された１以上の第２物品であって、前記１以上の第２物品の少なくとも１つが、その中に配置された拭取り物品を持つ封入されたパウチを含み、前記１以上の第２物品の少なくとも１つが前記１以上の第１物品の少なくとも１つに接合されている、１以上の第２物品；及び
ｃ）前記１以上の壁の少なくとも１つの少なくとも一部分が実質的に透明であり、前記１以上の第２物品の少なくとも１つの一部分が前記実質的に透明な壁部分に隣接配置されていることによって特徴付けられる、パッケージ。
【請求項９】
前記吸収性物品が生理用ナプキンである、請求項８に記載のパッケージ。
【請求項１０】
前記吸収性物品が使い捨ておむつである、請求項８又は９に記載のパッケージ。
【発明の詳細な説明】
【技術分野】
【０００１】
本発明は、一般に使い捨て吸収性物品及び拭き取り用品及びそれらのためのパッケージの分野に関する。
【背景技術】
【０００２】
身体滲出物を吸収及び処理するための、例えばおむつ、生理用ナプキン、パンティライナー、成人用失禁パッドなど着用可能な吸収性物品は、前記技術分野において広く知られている。加えて、幾つかの吸収性物品は、アロマテラピーを人に提供するためのみならず、吸収性物品上又は同物品内に封じ込められた身体滲出物に関連する匂いを隠すためにも、芳香発生組成物を含有してもよい。異なる個人的な衛生上の必要性から、生理用ナプキンなどの物品は、しばしば個別に包まれているが、一方おむつ、パンティライナー、又は成人用失禁パッドは、共通のパッケージ内で積み重ね体として包装されていてもよい。かような吸収性物品の取り替えは、ユーザーの身体の部分がしばしば洗浄される必要があり、また前記物品を取り替える人の両手が汚れることもあり、衛生上の課題になりうることも認識されている。これは、非衛生的とみなされる。
【０００３】
身体滲出物で汚れた皮膚部分を洗浄するために拭き取り用品を使用することは、前記技術分野においてもまた広く知られている。例えば、湿りを与えられた乳幼児用拭き取り用品の使用は、広く実行されている。かような拭き取り用品は不織布材料から作製され、洗浄を容易にするため又処理される皮膚部分に皮膚効果を及ぼすために、ローション又は水溶液をしばしば含有する。加えて、拭き取り用品は、洗浄プロセスに伴う匂いを隠すため、及び／又は心地良い香りをユーザーに提供するために、香りを付けてもよい。拭き取り用品の湿り及び芳香を維持するために、これら拭き取り用品は、蒸気不透過性パッケージ内に包装される。通常、洗浄用拭き取り用品は、湿性幼児用拭き取り用品の場合などでは、共通パッケージ内に積み重ねて包装される。他の例の内、飛行機内で供給される清浄用拭き取り用品の場合などでは、包装材で個別に包装された一拭き用品がある。重要なことに、前記拭き取り用品に含有される香りが、例えば生理用ナプキンなどの別のパーソナルケア物品に含有されるいかなる香りとも対立し、その結果ユーザーにとって望ましくない経験が生じることがある。
【０００４】
現行では、例えば汚れた生理用ナプキンなど、汚れた吸収性物品を取り替えようとするとき、ユーザー又は前記物品を取り替える人は、取り替えるための物品を収容するパッケージと、洗浄するための拭き取り用品を有する一つ別のパッケージとを持ち運ばなければならない。このことは、多数の品目を有する多数のパッケージの開放、取り扱い、及び処理が必要とされるので明らかに不利である。
【０００５】
上記の問題に対する１つの解決策は、前記吸収性物品のパッケージ内、又は上に、個別に包装された湿りを与えられた拭き取り用品を含む個々の吸収性物品を提供することである。換言すれば、前記吸収性物品及び前記ウェット拭き取り用品は、互いに固定的に組み合わされる。これら組み合わされた吸収性物品は、前記吸収性物品のパッケージと前記拭き取り用品のパッケージとが互いに貼り合わされているため、取り扱われるべき部品の数また廃棄部品の数も低減されるので、先行の扱い方の一つの改善である。しかし、この扱い方の１つの欠点は、人は、適切な種類のパッケージ化が無ければ、前記生理用ナプキン及び前記拭き取り用品が単一品目として合わせて市販されているということを認識しない場合があるということであり、それ故当人が上記した欠点に対する可能な解決策に気付かないことである。
【０００６】
吸収性物品及び拭き取り用品の組み合わせのパッケージ化及び市販化に伴う更に一つ別の欠点は、たとえ適切なパッケージ化があったとしても、急いでいる、或いは時間を取って立ち止まり内容物を判断するためにパッケージを調べることで自分を煩わすことを単に望まない人は、前記パッケージに拭き取り用品及び吸収性物品の組み合わせが入っていることに気付かない場合があることである。人は前述のことに気付かないばかりでなく、当人はまた、前記拭き取り用品がウェット拭き取り用品であるか、ドライ拭き取り用品であるか分からない場合もある。消費財の多くのユーザーは、あるタイプ又はブランドの品物を別のものよりも好み、それ故、吸収性物品及び拭き取り用品の組み合わせを市販化する前述の試みの別の欠点は、前記パッケージ上に何らかの表示又は知覚的手掛かりが無ければ、人は、前記吸収性物品及び前記拭き取り用品が、別々の品目として通常購入しているのと同じ製品であることに気付かない場合があることである。
【０００７】
吸収性物品のユーザーは、前記吸収性物品を使用する必要性が生じたときに、しばしば自宅にいない場合がある。結果として、当人は、当人に起きるいかなる必要性にも対処するため、外出先での場所を探す必要がある場合がある。そのような場所の１つは、公衆トイレであろう。公衆トイレは、個人の衛生上の必要性に対応する場所を提供するものの、必要に応じて、吸収性物品を便利に使用し、拭き取り用品で身を清める（clean oneself）ための、照明、スペース、又は棚をしばしば提供しない。前記吸収性物品に取り付けられた拭き取り用品が使えることは、この不便さのいくらかが軽減されるものの、前記拭き取り用品を収容しているパッケージを掴み開放するべき適切な場所を指し示す、容易に識別可能な手段が拭き取り用品上にないとき、或いは、前記拭き取り用品パッケージを前記吸収性物品に固定させる接合手段が、前記拭き取り用品を前記吸収性物品に持続的に保持するのに十分な強度を持たない場合には、また別の問題が起きる場合がある。
【発明の開示】
【発明が解決しようとする課題】
【０００８】
従って、前記吸収性物品及び前記拭き取り用品が、関連した、相補的な、相乗的な、又は同一の芳香を有する、香り付き拭き取り用品の付いた香り付き吸収性物品を提供することが望ましいであろう。また、人が、前記拭き取り用品が前記パッケージ内部に納められた前記吸収性物品に取り付けられているのを見られるように、拭き取り用品を取り付けられてパッケージ内部に納められている吸収性物品を提供することもまた望ましいであろう。拭き取り用品が取り付けられてパッケージ内部に納められている吸収性物品があること、又、前記吸収性物品及び前記拭き取り用品が単独で市販されているものと同じ製品であること、並びに／若しくは、前記拭き取り用品がウェット拭き取り用品であることを、人に伝えるための１以上の知覚的手掛かりを保有する、拭き取り用品が取り付けられて、パッケージ内部に納められている吸収性物品を提供することは、更に望ましいであろう。最後に、前記拭き取り用品を前記吸収性物品に付着させる接合手段が、前記拭き取り用品が開放されている間に前記吸収性物品及び前記拭き取り用品を共に保持するのに十分な強度を有する、１個の拭き取り用品が取り付けられている記吸収性物品を提供すること、又、前記拭き取り用品を包含している前記パッケージ上に１以上の知覚的手掛かりを有して、前記拭き取り用品パッケージを開放するためにパッケージを把持すべき場所を人に伝えることは、その上更に望ましいであろう。
【課題を解決するための手段】
【０００９】
先行技術に関する上記の不便さに対する解決策を提供するために、本発明は、新規な吸収性製品の組み合わせ及びそのためのパッケージを提供する。
【００１０】
本発明の一態様では、１以上の芳香を発生することのできる１以上の芳香組成物類を含む着用可能な１吸収性物品を含む、吸収性製品の組み合わせが提供される。前記吸収性物品に接合された封入パウチも提供され、前記封入パウチは、その中に拭き取り物品が配置されており、その中で前記拭き取り物品は、１以上の芳香を発生する１以上の芳香組成物類を含む。
【発明を実施するための最良の形態】
【００１１】
図１は、本発明の一実施形態の側断面図を示す。図示した前記吸収性製品の組み合わせ２１は、生理用ナプキン１、及び接合手段２により前記生理用ナプキン１に接合された封入パウチ３を含む。本明細書で使用するとき、用語「接合された」は、最初の部材又は構成要素が、直接的又は間接的に二番目の部材又は構成要素に取り付けられた、貼り付けられた、ないしは別の方法で物理的に連結された状態を指す。間接的に接合された部材又は構成要素の例は、前記第一の部材又は構成要素が、中間の部材若しくは構成要素に、貼り付けられ又は連結されていて、逆にそのいずれかは前記二番目の部材若しくは構成要素に、貼り付けられ又は連結されている、場合であってもよい。前記第一部材又は構成要素と、前記二番目の部材又は構成要素との間の接合関係は、永続的又は一時的であってもよい。本明細書で使用するとき、用語「永続的に接合された」は、典型的には、取り付けられた構成要素類の１つを少なくとも部分的に破壊せずに取り外すことのできない連結を指す。本明細書で使用するとき、用語「一時的に接合された」は、容易に解放可能であることを意図する連結、例えば、前記パウチが前記生理用ナプキンに解放可能に接合させることができる連結など、を典型的に指す。好適な接合手段２の一例は接着剤であってもよく、又一方前記封入パウチ３を前記吸収性物品１に接合するためには、例えば感圧性接着剤のような接着剤を使用することが望ましい場合があるものの、前記封入パウチ３を前記吸収性物品１に接合するための、本明細書で検討した又は当業者に既知の、いかなる好適な手段も、本発明により企図されていることを理解すべきである。
【００１２】
図１は生理用ナプキンを示しているものの、本発明は、生理用ナプキン類に限定されず、例えば、使い捨ておむつ類、成人用失禁パッド類、パンティライナー類などのような、いかなる着用可能な吸収性物品をも企図していることを理解すべきである。図１は剥離可能な包装材を有さない生理用ナプキンを示しているものの、本発明は、前記生理用ナプキンに接合されるか又は接合されない剥離可能な包装材を包含してもよい生理用ナプキン類を有してもよい、若しくは前記剥離可能な包装材が前記生理用ナプキンを部分的又は完全に包囲してもよい、実施形態類を企図していることを更に理解すべきである。
【００１３】
図１に示した生理用ナプキン１は、身体に面する側面又は正面７、並びに反対の衣類に面する側面又は正面８を有する。封入パウチ３は、外側に面する側面２２及び反対の内側に面する側面２３を有する。前記封入パウチの内側に面する側面２３は、前記生理用ナプキン１の衣類に面する側面８に接合され得る。前記生理用ナプキン１は、例えば、経血のような、膣の排泄物を集めるために使用すること、又はそのような排泄物によって着用者の衣類が汚れるのを防ぐこと、ができる。特に好適な生理用ナプキンは、米国特許第５，５６９，２３０号（フィッシャー（Fisher）ら、１９９６年１０月２９日発行）に従って製造されてもよい。前記生理用ナプキン１はまた、前記生理用ナプキン１の少なくとも一部分上に一緒に又は別々に配置された、１以上の芳香組成物類を含有し得る。
【００１４】
前記生理用ナプキン１に接合された前記封入パウチ３は、前記封入パウチ３が内部収容スペース１５を画定するように製造され得る。前記封入パウチ３はまた、前記内部収容スペース１５内に配置された拭き取り物品４を有してもよい。前記封入パウチ３はまた、蒸気不透過性であり得る。更に、封入パウチ３は、トイレで流すことができる（すなわち、「フラッシャブル」）と共に、トイレに流した時及び下水装置で運ばれる時、下水装置のどの要素も詰まらせたりしないように十分に分解する。そのような基準に合う材料は、シリコーン処理したポリビニルアルコールフィルム、又はポリビニルアルコールでコーティングされたフィルム、ポリビニルアルコールでコーティングされるか含浸されたティッシュ、又は類似の若しくは他の水溶性材料、が挙げられるが、これらに限定されない。前記封入パウチ３は、単一構造を更に含んでもよいが、しかしながら、前記封入パウチ３が単一構造ではない実施形態類も本発明により企図されていることを理解すべきである。一体構造という用語は、本明細書で使用するとき、出発原料の単一の分割されていない一片を用いた方法により作製されており、前記出発原料が１つの軸線の周りで折り畳まれて前記封入パウチ３の１つの縁部を形成し、次いで、残りの縁部上で封止されて密閉した内部収容スペース１５を画定する、封入パウチ３を指す。
【００１５】
ウェット拭き取り用品類、すなわち、液体溶液で少なくとも部分的に飽和した拭き取り物品を封入するためには、製品製造時から消費者による製品使用時まで前記液体溶液の実質的な蒸発を防ぐことができる前記封入パウチ３の、全ての辺をめぐるシール類を有することが有利である。ウェット拭き取り用品及びそれに含有される前記液体溶液のより詳細な記載は、以下に提示される。熱及び／又は圧力シール類、超音波シール類、糊シール類、ダウ社（Dow Company）の「ジップロック（ZIP LOCKS）」のようなジッパー式トラック封止システム類、或いはそれらのいかなる組み合わせなども挙げられるがこれらに限定されない、いかなる数の封止機構が使用されてもよい。加えて、前記封入パウチ３は、蒸発を更に低減させるために、フォイル又は他の何らかの好適な材料で裏打ちされていてもよい。前記封入パウチ３は、前記吸収性製品の組み合わせ２１を様々な携行可能な収容場所の中に収容し易いように、当業者に知られた極めて薄く又可撓性のある材料を含み得る。
【００１６】
図１に示すように、前記拭き取り物品４は、前記封入パウチ３により画定される前記内部収容スペース１５内に配置され得る。前記拭き取り物品４は、不織布を含んでもよい。前記不織布は、例えばレーヨン、ポリエチレン、ポリプロピレン又はポリエステルなどの合成繊維、若しくは、例えばセルロース又は綿などの天然繊維、を更に含んでもよい。前記拭き取り物品４は、トイレットペーパー又はティッシュペーパーと類似した方法で、不織布材料又は湿式載置材料から作製され得る。前記拭き取り物品４は、トイレに流した時及び下水装置で運ばれる時十分に分解して、下水装置のどの要素も詰まらせたりしないので、トイレで流すことができる（すなわち、「フラッシャブル」である）。拭き取り物品４として、又封入パウチ３としての使用に好適であってもよい１つの材料は、米国特許第４，７５５，４２１号（マニング（Manning）ら、１９８８年７月５日発行）に記載された水流交絡布地である。
【００１７】
前記拭き取り物品４の寸法は変化し得る。前記拭き取り物品４は、寸法が約２５平方センチメートル（約４平方インチ）以上、寸法が約５０平方センチメートル（約９平方インチ）以上、寸法が約１，４５０平方センチメートル（約２２５平方インチ）以下、寸法が約１００平方センチメートル（約１６平方インチ）と約３２０平方センチメートル（約５０平方インチ）の間、又は約２２５平方センチメートル（約３５平方インチ）であり得る。
【００１８】
前記拭き取り物品４は、クレンジンング拭き取り用品であり得る。前記拭き取り物品４はまた、着用者の身体からの経血及び／又は他の身体滲出物を拭き取るために着用者により使用されてもよい、衛生クレンジング拭き取り用品であり得る。経血が着用者の身体から出るとき、着用者の身体の外陰部を越えて汚す傾向があると共に、着用者の皮膚及び陰毛の上で保持される傾向があるので、経血の拭き取りは特に重要であり得る。その上、経血は次に皮膚上及び陰毛内で乾燥すること、又その後の洗浄を困難にすることがある。
【００１９】
例えば、衛生用クレンジング拭き取り用品のような拭き取り物品４を、個々の生理用ナプキン１に包含することは、幾つかの利点をもたらす。前記拭き取り物品４は、ユーザーに清潔感を提供することによって物理的な快適性並びに心理的な快適性を増大し得る、物理的な洗浄を提供する。前記拭き取り物品４はまた、ユーザーのパンティーの汚れを減らすために使用されてもよい。パンティーの汚れを起こす１つの仕組みは、汚れた体の表面から着用者のパンティーまでの経血の移動である。加えて、前記拭き取り物品４を使用すると、月経に伴うにおいも低減し得る。
【００２０】
前記拭き取り物品４は、液体系洗浄溶液を含ませた（すなわち液体を含有する）ウェット拭き取り用品であり得る。前記拭き取り物品４はまた、香り付きであってもよい。前記拭き取り物品４は、液体系洗浄溶液を含浸させた不織布を含み得る。前記拭き取り物品４は、経血を着用者の皮膚及び陰毛に付着させないようにする傾向のあるシリコーン類のような物質を含有してもよい。前記液体系洗浄溶液としては、界面活性剤類、アルコール類、芳香組成物類、抗菌剤類、及びｐＨ緩衝剤類、若しくはそれらの組み合わせ及び同類のものを挙げることができる。前記液体系洗浄溶液は、ハンドローション類に使用されるものに類似する皮膚調整物質、又はクレンジング拭き取り用品に含めてよい、当該技術分野において既知のいかなる他の物質も含有し得る。
【００２１】
他の実施形態としては、ドライ拭き取り用品類、若しくは、例えば鉱物油類のような非水性洗浄溶液類と、米国特許第４，４８１，２４３号（アレン（Allen）、１９８４年１１月６日発行）に記載された皮膚軟化剤とを含有する拭き取り用品類、を挙げることができる。
【００２２】
香り付き拭き取り物品を生産するために、１以上の芳香組成物が洗浄溶液に含有され得る。しかしながら、例えば、何らかの洗浄溶液が付加されうる前又は後に、例えば前記芳香組成物を前記拭き取り物品４に適用することにより存在する可能性がある、何らかの洗浄溶液とは別に、前記１以上の芳香組成物が前記拭き取り物品４内に含有され得る。別の例は、例えば、芳香組成物を含む担体物質などのような別の構成成分を包含する、拭き取り物品４であってもよい。加えて、前記拭き取り物品４の少なくとも一部分の上に、前記１以上の芳香組成物は共に又は別々に配置されてもよい。
【００２３】
香り付き拭き取り物品は、ユーザーに望ましい製品を提供することがあるものの、例えば生理用ナプキンなど、別のパーソナルケア物品に含有される、１以上の前記芳香組成物により発生された、１以上の芳香と関連させた、相補的な、相乗的な、又は同一的な、１以上の芳香を、前記拭き取り物品４の中に包含された１以上の前記芳香組成物によって発生させることは、更により望ましい可能性がある。本明細書で使用するとき、用語「関連させた」は、２以上の要素間の関係を論理的に提示又は確立し得る特質を有することを意味する。例であって制限するものではないが、バラの芳香とランの芳香は、両者とも花類の共通テーマを共有しているので、関連させ得る。関連させた芳香の別の例に、雨の芳香と花の芳香は春の共通テーマを共有しているので、両者の芳香を含めてもよいであろう。本明細書で使用するとき、用語「相補的」は、１ユーザーによって同時に感知された時に、前記ユーザーに望ましい反応を引き起こし得る２以上の要素を指す。望ましい反応の例として、例えば、喜びの感情又は清潔の概念を含めてもよいであろう。相補的な（complimentary）要素の一例として、花及び果物の芳香を含めてもよいであろう。本明細書で使用するとき、用語「相乗的」は、１ユーザーによって合わせて感知された時、前記ユーザーがそれらの要素を個別に感知する時に起きる反応よりもより強い又はより望ましい反応をユーザーの中に引き起こす要素を指す。例えば、カーネーションのような花の芳香、及びシナモンのようなスパイスの芳香は、１ユーザーによって同時に感知された時、芳香類が個別に感知される時よりも強いか又は望ましい反応、例えば喜びの感情、を引き起こすことがある。相乗的な芳香の別の１例としては、ポプリを構成する個々の香りと比較した、市販のポプリによって発生する芳香を挙げてもよいであろう。芳香類に関して本明細書で使用するとき、用語「同一の」は、同一の組成物類を有する、又はたとえ前記組成物類が異なっていても、標準的なユーザーによって感知される時芳香類が容易に識別できない相違を有する、芳香類を指す。例えば、共にある１種のバラの芳香を発生する２つの芳香組成物は、同一ということになる。
【００２４】
関連させた、相補的な、相乗的な、及び同一のという用語の上記の例は、芳香（１つ又は複数）の使用にすべて関与するものであるが、本発明の他の要素類、例えばパッケージ（１つ又は複数）上の表示なども、また関連させられ、相補的で、相乗的で、又は同一であり得ることを理解すべきである。
【００２５】
吸収性製品の組み合わせ２１は、例えば公衆トイレなど、様々な外出先の環境において消費者により使用されてもよい。典型的には、外出先の環境は、例えば、空間、照明、収容又は処分スペースなどの不足のために、前記吸収性製品の組み合わせ２１を使用するのに好ましい環境ではない。このしばしば必要に迫られた不便さの結果は、前記吸収性製品の組み合わせ２１が、様々な携行可能な収容場所内、例えば、ポケット、財布、ハンドバッグ、又は外出先の移動で消費者に通常伴う他の何らかの携行可能な収容場所内などで、消費者によって持ち運ばれる可能性があることである。消費者に利用される可能性のある多種多様な携行可能な収容場所のために、前記吸収性製品の組み合わせ２１を携行可能な収容場所から取り出す際に、前記封入パウチ３が前記生理用ナプキン１から分離しないよう確実にするために、接合手段２の接着力を前記吸収性製品の組み合わせ２１の重量と少なくとも同じ大きさにすることが望ましい場合がある。
【００２６】
図２は、本発明の別の実施形態を示す。この例では、前記封入パウチ３は、図１に例示された中央部とは対照的に、一方の末端部にて前記吸収性物品１に接合されている。図示した位置は例に過ぎないこと、又本発明は、前記封入パウチ３が前記生理用ナプキン１上の任意の好適な位置に取り付けられている実施形態を企図していること、を理解すべきである。
【００２７】
前記封入パウチ３は、その中に収容された前記拭き取り物品４にアクセスするために、前記封入パウチ３を開封（又は開放）するための手段を包含してもよい。図３は、吸収性物品１０を含み、接合された封入パッケージ３を有する、前記吸収性製品の組み合わせ２１の平面図を示す。前記封入パウチ３は、第１把持部分１３ａ及び第２把持部分１３ｂを画定する表示１４を有する。第１及び第２の把持部分１３ａ、１３ｂは、前記封入パウチ３を開放し易くするためにユーザーが把持してもよい前記パウチの領域を含み得る。第１把持部分１３ａは、前記封入パウチ３の総表面積の約１％〜５０％を含み得るが、第１把持部分１３ａが、前記封入パウチ３の表面積の１％未満〜約９５％の範囲を含み得る実施形態も本発明により企図されていることを理解すべきである。
【００２８】
第１把持部分１３ａに適切な力を印加することによって、第１把持部分１３ａは、少なくとも部分的に除去されてもよく、その結果前記封入パウチ３を開放する。前記封入パウチ３を開放するのに必要とされる力の量は、（図１に示した）前記接合手段２の接着剤力より小さくてもよく、その結果、前記封入パウチ３を前記吸収性物品１０から外す恐れなしに、第１把持部分１３ａのみを用いて前記封入パウチ３の開放を許すことが可能になる。前記封入パウチ３を開放するのに必要とされるピーク力は、約０．５Ｎから約１５Ｎのどこかであり得る。前記封入パウチ３を開放するのに必要とされるピーク力はまた、約１Ｎ〜約１０Ｎのどこかであり得る。前記封入パウチ３を開放するのに必要とされるピーク力はまた、約６Ｎであり得る。前記封入パウチ３を開放するのに必要とされるピーク力はまた、所望に応じて、前記封入パウチ３を前記吸収性物品１０から比較的容易に取り外すことを可能にするために、接合手段２の接着力よりも大きいか又は等しくてもよい。封入パウチ３を開放するのに必要とされる力はまた、所望に応じて、前記封入パウチ３を前記吸収性物品１０から比較的容易に取り外すことを可能にするために、前記接合手段２の接着剤力よりもより大きいか又は等しくてもよい。
【００２９】
開放手段の一例としては、外側に面する側面２２、内側に面する側面２３、又は両側面の上に刻み目付き脆弱線又は型カット脆弱線を有する封入パウチ３を含めてもよい。この脆弱線は、前記封入パウチ３は、タブ、剥離が容易なラベル又は当業者に既知のその他いずれかの従来の開放機構によって容易に開放される得る。前記脆弱線は、第１及び第２把持部分１３ａ，１３ｂを画定する表示１４と同じ位置に配置されてもよいが、前記開放手段が前記封入パウチ３のその他いずれかの部分上に配置されている実施形態も、本発明により企図されていることを理解すべきである。前記封入パウチ３の開放を容易にする別の例は、「ドライエッジ（Dry-edge）」貼付機構を含めてもよい。その上、開放手段の一例は、例えば引き裂きやすいフィルムなどのような比較的引き裂きやすい材料から作製された前記封入パッケージ３を含めてもよい。比較的引き裂きやすい材料を含むパッケージは、例えば脆弱部分又は穿孔部分を追加するのに必要とされる工程など、追加の処理工程を必要としないという利点を有するであろう。更に他の好適な開放手段の例としては、解放可能な接着剤、解放可能なヒートシール及び／又は圧力シール、穿孔、裂開シール（rupture seals）、引き裂きシール（tear seals）、若しくは前述のもののいずれかの組み合わせ及び同類のものを挙げてもよいが、これらに限定されない。
【００３０】
前記封入パウチ３は、開放されたとき、図４に示すような概ね真っ直ぐな縁部、又は図６に示すような湾曲した縁部を有する開口部を提供してもよい。
【００３１】
先に述べたとおり、前記封入パウチ３上に包含される表示１４は、前記封入パウチ３上の第１及び第２把持部分１３ａ、１３ｂを含む領域をユーザーに伝え得る。図３に示すように、前記吸収性製品の組み合わせ２１は、前記封入パウチ３の外側に面し得る側面２２上に配置された表示１４を包含し得る。図３の表示１４は破線を包含しているが、本発明の表示１４はいかなる特定の物体又は形状にも限定されず、しかしながら、単一の色彩、色彩の組み合わせ、隆起した部分、物体（類）、部分的な物体、若しくは物体、部分的な物体、又は前述の物、及び容易に識別可能な画像か模様を形成する可能性のある又はない同類のもののいずれかの組み合わせ、を包含してもよいことを理解されたい。更に、表示１４は、パウチ３に接合されるかそれを又は包囲してもよいいかなる材料も挙げられるがこれらに限定されない、前記パウチ３のいかなる部分又は位置上に位置付けられてもよく、それによって、前記表示１４は、前記吸収性製品の組み合わせ２１が以下により十分に説明されるようなパッケージ内で表示されるとき、人の目で感知可能である。
【００３２】
図４は、本発明の一実施形態を示し、そこでは前記封入パウチ３は開放され（すなわち第１把持部分１３ａが部分的に除去され）ており、又前記吸収性製品の組み合わせ２１は、前記封入パウチ３上に配置された水滴を表す表示１４を包含し得る。前記表示１４は、前記第２把持手段１３ｂを有する前記封入パウチ３の部分内で、前記封入パウチ３の前記の外側に面する側面２２上に配置され得る。このように、前記第１把持部分１３ａは、表示１４を有さない部分としてユーザーに認識されることができ、また前記第２把持部分１３ｂは、表示１４を有するまさにその部分としてユーザーに認識されることができる。
【００３３】
図５は、前記拭き取り用品４は第２把持部分１３ｂを有する領域の範囲内に完全に位置付けられているわけではなく、従って、前記封入パウチ３が開放されたときに見ることができるように、吸収製品の組み合わせ２１は拭き取り用品４が配置された封入パウチ３を含み得る、本発明の別の実施形態を示す。
【００３４】
図６は、本発明の更に別の実施形態を示し、この場合、前記封入パウチ３は、水滴１４ａ、花１４ｂ、及び破線１４ｃを描写する表示を包含し得る。前記封入パウチ３上に前記表示１４を包含することが望ましい場合があり、それによって、前記表示は、第１把持部分１３ａ及び第２把持部分１３ｂを含む封入パウチ３の部分をユーザーに指し示し得るだけでなく、前記封入パウチ３内に配置された前記拭き取り物品４にまた関連させ得る。例えば、この例では、水滴１４ａの描写は、前記封入パウチ３の中に収容された前記拭き取り物品４がウェット拭き取り用品であることをユーザーに伝えることができ、また花１４ｂの描写は、前記拭き取り物品４が花の香りを包含することをユーザーに伝えることができる。破線１４ｃは、第１及び第２把持部分１３ａ，１３ｂを画定する前記封入パウチ３の部分を画定し得る。
【００３５】
共通のパッケージ内にクレンジング拭き取り用品を有する吸収性物品の市販化は、両方のタイプのパーソナルケア物品の有用性を兼ね備えた効率的で望ましい方法であることがあり得て、それにより、パーソナルケア物品の使用に伴ういかなる不快感をも最小限に抑えることもあり得る。しかしながら、品目が共に包装されていることを消費者に伝えるための有効な手段が無ければ、消費者は、消費者が利用できる前記の有益な製品に気付かないことがある。
【００３６】
図７は、例えば生理用ナプキンなど、１以上の吸収性物品１０を収容するための内部収容スペース２０を画定する１以上の壁を有するパッケージ９を示し、この場合例えば、少なくとも１つの吸収性物品１０は、そこに取り付けられた封入パウチ３を有し得る。吸収性物品１０はすべて、互いに同一であってもよく、又は異なｑO記驪z吸収性物品１０であってもよい。例示されたパッケージ９は、可撓性であり得て、１層２５から作製され得る。層２５は、内側表面及び外側表面を有する。層２５は、異なる材料から成ってもよく、又は実質的に同じ種類の材料から成ってもよい。層２５は、１つの層２５又は積層体から成っていてもよい。その材料は、低密度ポリエチレンと、線状低密度ポリエチレン、メタロセン類、エチレンビニルアセテート、サーリン（Surlyn）、ポリエチレンテレフタレート、２軸配向ポリプロピレン、ナイロン、若しくは、前述の材料などのいかなる組み合わせ及びその同類、又は当業者に既知の他のいかなる好適な材料、とのブレンドにおけるインフレートフィルム（blown film）又はキャストフィルム、を含み得る。層２５は、折り畳まれ、互いに固定されてパッケージ９を形成し得る。層２５は、本明細書で検討したあらゆる好適な手段又は前記技術分野において既知のいかなる手段によっても、互いに固定され得る。前記パッケージ９は、例えば多面体の包囲体を画定又は形成する多面体の形状などの、当該技術分野において既知のいかなる形状でもあり得る。一実施形態は、可撓性ポリマーフィルムパッケージであり得るものの、厚紙、板紙、チップボード、合板、ＳＢＳ、金属、プラスチック、紙、カードストック、布地、セラミック、ポリマー、天然又は合成繊維、ウェブ、メッシュ、スクリーン、木、合成物、混合物、若しくはそれらの組み合わせ、又同類のもの、から作製されるような非可撓性パッケージも本発明により企図されていることを理解すべきである。
【００３７】
吸収性物品１０は、パッケージ９の内部スペース２０内で、積み重ね体を形成するように配置され得る。前記物品１０は、どの方向に積み重ねてもよい。本明細書で使用するとき、用語「積み重ね」は、整然とした積み重ねを意味する。例えば、前記吸収性物品１０は、前記パッケージ９の内部収容スペース２０内で垂直に、水平に、又はいずれかの角度をもって積み重ねてもよい。
【００３８】
前記パッケージ９は、吸収性物品２０への容易なアクセスのために、前記内部収容スペース２０にアクセスするための１手段を包含し得る。前記内部収容スペース２０にアクセスするための仕組み又は手段は、穿孔の線、タブ、接着剤開口部、若しくはそれらのいかなる組み合わせなど、又は前記内部収容スペース２０にアクセスするための当業者に既知のいかなる好適な手段を挙げてもよい。
【００３９】
前記パッケージ９は更に、図７に示したように、少なくとも１つのパッケージ側面上に配置された、少なくとも１つの透明の区域１２を包含し得る。本明細書で使用するとき、用語「透明な」は、正常視力（20/20 vision）を有する人が、向こう側にある本体を約３０．５ｃｍ（１２インチ）の距離から比較的明瞭に見ることができるように、実質的な散乱無しに光を透過させる特性を有することを意味する。前記透明の区域１２に隣接して配置されているものは吸収性物品１０に接合された封入パウチ３であり得、それによって、前記封入パウチ３の少なくとも一部分、及び任意に、その上に含まれる表示１４ａ及び／又は１４ｃの少なくとも一部は、透明の区域１２を通して人の目で感知され得る。１以上のパッケージ壁上に含まれる１以上の透明の区域１２を有するパッケージ９を説明する実施形態であって、そこでは、少なくとも１つの封入パウチ３が、１以上の透明の区域１２の少なくとも１つに隣接して配置されているため、前記封入パウチ３の少なくとも一部分、及びその上に含まれる前記表示１４ａ及び／又は１４ｃの少なくとも幾つかが、１以上の透明の区域の少なくとも１つを通して人の目によって感知可能であるような、パッケージ９を説明する実施形態もまた、本発明により企図されていることを理解すべきである。
【００４０】
例えば、本明細書に上述の前記透明の区域１２を使用して、吸収性物品１０、及びその中に配置された拭き取り物品を持つ封入パウチ３が、一緒に市販されていることを消費者に伝えることに加えて、各物品が第１及び第２物品類を含む品物の種類を消費者に伝え得る表示を有する、１以上の第１物品及び１以上の第２物品を含む１パッケージを持つことが望ましい場合もある。前記物品類を含む品物の種類を伝えることに加えて、共通のパッケージ内で一緒に市販されている前記品物類は、消費者が単独で購入するのと同じ前記品物類であることを消費者に伝えることが望ましい場合もある。前述のメッセージの両方を同時に消費者に伝えることが、更により望ましい場合がある。
【００４１】
現在図８を参照すると、内部収容スペース１２０を含むパッケージ１０９、例えば生理用ナプキン類などの吸収性物品類を含む１以上の第１物品類１１０、封入パウチ類を含み中に拭き取り用品が配置され得る１以上の第２物品類１０３、が示されている。第１物品１１０及び第２物品１０３は、接合し得る。前記パッケージ１０９はまた、表示類１１１を包含し得る。
【００４２】
パッケージ１０９は、上に水１滴１１１ａが配置され、前記パッケージ１０９内に収容された１以上のウェット拭き取り用品が存在することを消費者に伝え得る、拭き取り物品１１１ｂの描写を包含してもよい。前記パッケージ１０９は、その上更に、例えば１以上の水滴１１１ｃの描写などの表示類１１１を包含してもよく、そのことは、上記明細書に説明されるような１以上の透明の区域１１２を通して消費者によって見ることのできる１以上の第２物品類１０３上の表示類１１４に関連し得る。
【００４３】
前記パッケージ１０９内に収容された前記パーソナルケア製品が、消費者が通常は単体市販品類として購入する製品と同じであることを消費者に伝えるために、前記パッケージ１０９は、そのような情報を消費者に伝え得る前記表示類１１１を包含してもよい。例えば、ウェット拭き取り用品が、水滴を描写する表示を有する１パッケージ内で単体で市販され、前記水滴が、本明細書上記のもののような吸収性製品の組み合わせを収容する前記パッケージ上に描写された前記水滴に関連するか、類似するか、実質的に同じであるか、又は同一である場合、その時消費者は、単体で市販される前記拭き取り用品と前記吸収性製品の組み合わせ内の前記拭き取り用品が同じ拭き取り用品であることを知るので、自らの購入の際により快適に感じることがある。
【００４４】
図９は、本発明の１代替実施形態の１例を示す。図９のパッケージ１０９は、１内部収容スペース１２０、１以上の第１物品類１１０、及び１以上の第２物品類１０３を含み得る。前記第１物品１１０は、例えば生理用ナプキンなど、吸収性物品を含み得る。第２物品１０３は、中に配置された拭き取り物品を持つ封入パウチを含み得る。前記第１物品１１０及び第２物品１０３は接合し得る。前記パッケージ１０９は更に表示１１１も包含し得る。
【００４５】
前記パッケージ１０９は、２つの隣接する壁に連続的な一つの窓を形成する、透明の１区域１１２を包含し得る。前記透明の区域１１２は、例えば図示した前記先細の形状など、前記透明の区域１１２を調べさせるために人の目を引き付け得る形状を含んでもよい。この場合、前記窓の先細の形状を見る消費者は、前記パッケージ１０９を手に取り、それから前記封入パウチ１０３及び前記個々の表示１１４ａ、１１４ｃを見てみたくなることがある。こうした前記消費者による前記パッケージ１０９との付加的な相互作用は、前記消費者がこの時、前記パッケージ１０９内に収容された前記吸収性製品の組み合わせの増大する利益に対する高まった認識を持つという事実により、より高い購入の見込みを生じる結果をもたらすことがある。
【００４６】
図１０は本発明の別の１実施形態の平面図を示す。図１１は線１１に沿った図１０の実施形態の１断面側面図を示す。図示した吸収性製品の組み合わせ２２６は、例えばパンティライナーのような吸収性物品２１８、中に配置された拭き取り用品２０４を持つ封入パウチ２０３、身体に面する側面２０７、衣類に面する側面２０８、前記封入パウチ２０３を前記吸収性物品２２６に接合するための接合手段２０２、及び解放可能に取り付けられた剥離紙２１７を含む。
【００４７】
図示した剥離紙２１７は方形から成るが、前記吸収性物品の形状と類似の、実質的に同じ、又は同一の形状が挙げられるがこれらに限定されない、他の形状が本発明により企図されていることを理解すべきである。加えて、本発明の例は、前記吸収性物品よりも大きい面積を有する剥離紙２１７を示すが、前記吸収性物品の面積以下の面積を有する剥離包装材類も本発明により企図されることを理解すべきである。
【００４８】
本発明の「発明を実施するための最良の形態」で引用するすべての文献は、関連部分において、本明細書に参考として組み込まれる；いずれの文献の引用も、本発明に関する先行技術であることを容認するものと解釈されるべきではない。この文書における用語のいずれかの意味又は定義が、参考として組み込まれる文献における用語のいずれかの意味又は定義と対立する限りにおいて、本文書における用語に与えられた意味又は定義が支配するものとする。
【００４９】
本発明の特定の実施形態が説明及び記述されてきたが、様々な他の変更及び修正が本発明の精神及び範囲から逸脱することなく行えることは当業者には明白であろう。したがって、本発明の範囲内にある全てのかような変更及び修正は、添付された特許請求の範囲で守るものとする。
【図面の簡単な説明】
【００５０】
【図１】本発明の一実施形態の断面側面図。
【図２】本発明の一代替実施形態の断面側面図。
【図３】本発明の一実施形態の平面図。
【図４】本発明の一実施形態の平面図。
【図５】本発明の一実施形態の平面図。
【図６】本発明の一実施形態の平面図。
【図７】本発明の一代替実施形態の等角図。
【図８】本発明の一代替実施形態の等角図。
【図９】本発明の一代替実施形態の等角図。
【図１０】本発明の一代替実施形態の平面図。
【図１１】本発明の一代替実施形態の断面側面図。
【図１】
2009518158.tif 000003
【図２】
2009518158.tif 000004
【図３】
2009518158.tif 000005
【図４】
2009518158.tif 000006
【図５】
2009518158.tif 000007
【図６】
2009518158.tif 000008
【図７】
2009518158.tif 000009
【図８】
2009518158.tif 000010
【図９】
2009518158.tif 000011
【図１０】
2009518158.tif 000012
【図１１】
2009518158.tif 000013
【国際調査報告】
2009518158.tif 000014
2009518158.tif 000015
2009518158.tif 000016
2009518158.tif 000017
2009518158.tif 000018